(57)【要約】【課題】水平に吊り下げて陳列することができ、かつ、多段に積み重ねても陳列することができる包装箱を提供する。【解決手段】前板１１と一対の側板１２，１２′と後板１３と底板１４及び蓋板１７，１９からなる箱本体２に内容物３０を収納自在にし、蓋板１７に吊下げ孔１８ｂを有する吊下げ片１８を突設した包装箱１であって、蓋板１９に吊下げ片１８を起立・傾倒自在に設けると共に、吊下げ片１８の起立位置を箱本体２内に収納される内容物３０の重心の位置に合うように変位させ、蓋板１９の後板１３側に吊下げ片１８を傾倒した際に該吊下げ片１８の先端部１８ａを差し込む係止孔２３を穿設し、かつ、前板１１の上部を蓋板１９より上方に延設して表示板１１Ａとした。【選択図】図３
2012106768.tif 000002
【特許請求の範囲】
【請求項１】
前板と一対の側板と後板と底板及び蓋板からなる箱本体に内容物を収納自在にし、該蓋板に吊下げ孔を有する吊下げ片を突設した包装箱であって、
前記蓋板に前記吊下げ片を起立・傾倒自在に設けると共に、該吊下げ片の起立位置を前記箱本体内に収納される内容物の重心の位置に合うように変位させ、前記蓋板の前記後板側に前記吊下げ片を傾倒した際に該吊下げ片の先端部を差し込む係止孔を穿設し、かつ、前記前板の上部を前記蓋板より上方に延設して表示板とした包装箱。
【請求項２】
前記吊下げ片の先端部に前記吊下げ孔を穿設し、この吊下げ孔の位置を前記表示板の上縁より高くした請求項１に記載の包装箱。
【請求項３】
前記蓋板の前記後板側に前記係止孔を弧状に切込み形成し、この弧状の係止孔に前記吊下げ片の先端部を差し込んで係止した際に前記吊下げ孔が露出するように該吊下げ孔を位置させた請求項１又は２に記載の包装箱。
【請求項４】
前記前板から前記一対の側板にかけて窓孔を穿設し、この窓孔を透明シートで覆った請求項１〜３のいずれかに記載の包装箱。
【発明の詳細な説明】
【技術分野】
【０００１】
本発明は、商品等の内容物を収納し、ハンガー等の陳列用具で吊り下げて展示できる吊下げ式の包装箱に関する。
【背景技術】
【０００２】
従来より、吊下げ式の包装箱の蓋板には、陳列棚のハンガーに挿入可能な吊下げ孔を有した吊下げ片が突設されている。この種の吊下げ片としては、包装箱の後板と同一平面上に突設されているタイプ（例えば、特許文献１参照）と、包装箱の蓋板の中央部から上方に突設されているタイプ（例えば、特許文献２参照）とがある。
【０００３】
この特許文献１の包装箱は、後板の上端中央部に吊下げ孔を有した吊下げ片を切り起こしできるように設けてあり、陳列して展示する際に、吊下げ片を立ち上げてその吊下げ孔をハンガーに挿入して吊り下げるものである。
【０００４】
また、特許文献２の包装箱は、蓋板の中央部に吊下げ孔を有した吊下げ片を突設してあり、陳列して展示する際に、吊下げ片の吊下げ孔をハンガーに挿入して吊り下げるものである。
【先行技術文献】
【特許文献】
【０００５】
【特許文献１】特開２００３−１１９６０号公報
【特許文献２】特開２００５−１５３８９６号公報
【発明の概要】
【発明が解決しようとする課題】
【０００６】
しかしながら、前記従来の特許文献１の包装箱では、吊下げ片が後板の上端中央部に設けられているため、吊り下げ時に、商品を収納した箱本体が前後に傾いてしまって、水平に陳列することができなかった。
【０００７】
また、前記従来の特許文献２の包装箱では、吊下げ片が折り曲げにて二重に形成されているため、その組み立てが煩雑であった。さらに、蓋板の中央部から吊下げ片が突設されているので、この吊下げ片が邪魔になって、複数段に積み重ねて陳列することができなかった。
【０００８】
そこで、本発明は、前記した課題を解決すべくなされたものであり、水平に吊り下げて陳列することができ、かつ、多段に積み重ねても陳列することができる包装箱を提供することを目的とする。
【課題を解決するための手段】
【０００９】
本発明は、前板と一対の側板と後板と底板及び蓋板からなる箱本体に内容物を収納自在にし、蓋板に吊下げ孔を有する吊下げ片を突設した包装箱であって、蓋板に吊下げ片を起立・傾倒自在に設けると共に、吊下げ片の起立位置を箱本体内に収納される内容物の重心の位置に合うように変位させ、蓋板の後板側に吊下げ片を傾倒した際に該吊下げ片の先端部を差し込む係止孔を穿設し、かつ、前板の上部を蓋板より上方に延設して表示板とした包装箱、を提供する。
【発明の効果】
【００１０】
本発明によれば、箱本体内に収納される内容物の重心の位置に吊下げ片の起立位置を合わせて、該吊下げ片を起立・傾倒自在に設けたことにより、水平の吊り下げ陳列と、多段の積み重ね陳列との切り替えが非常に容易に行える包装箱を提供することができる。
【図面の簡単な説明】
【００１１】
【図１】本発明の実施形態に係る吊下げ式の包装箱のブランクの一例を示す展開図である。
【図２】（ａ）〜（ｅ）は上記包装箱の蓋板を閉じて吊下げ片を起立させる過程を順に示す斜視図である。
【図３】（ａ）は上記包装箱の蓋板を開けて内容物を入れた状態を斜め上方側から見た斜視図、（ｂ）は同包装箱の蓋板を閉じて吊下げ片を起立させた状態を斜め正面側から見た斜視図である。
【図４】（ａ）は上記蓋板を開けて内容物を入れた状態の平面図、（ｂ）は同蓋板を閉じて吊下げ片を起立させた状態の平面図、（ｃ）は同状態の底面図である。
【図５】（ａ）は上記蓋板を閉じて吊下げ片を起立させた状態の正面図、（ｂ）は同状態の背面図、（ｃ）は同状態の右側面図、（ｄ）は同状態の左側面図である。
【図６】上記包装箱の吊り下げ状態を示す斜視図である。
【図７】（ａ）〜（ｃ）は上記吊下げ片を倒す過程を順に示す斜視図である。
【図８】上記包装箱を積み重ねた状態を示す斜視図である。
【図９】上記包装箱に別の内容物を入れた状態を示す平面図である。
【図１０】上記包装箱に別の内容物を入れた状態を示す右側面図である。
【発明を実施するための形態】
【００１２】
以下、本発明の実施形態を図面に基づいて説明する。
【００１３】
図１は、本発明の吊下げ式の包装箱を構成するブランクの一例を示す展開図である。
【００１４】
図１に示すように、包装箱１の箱本体２を構成するブランク１０は、板紙等を打ち抜いて形成したものであり、矩形の前板１１と、この前板１１の左右辺に各折り目ａ，ａ′を介して連設される矩形で一対の側板１２，１２′と、右側の側板１２の右辺に折り目ｂを介して連設される矩形の後板１３と、前板１１と各側板１２，１２′及び後板１３の各下辺に各折り目ｄを介して連設される各底片１４Ａ，１４Ｂ，１４Ｂ′，１４Ｃからなる底板１４と、左側の側板１２′の上辺に折り目ｆを介して連設される略矩形の下側の蓋板１７と、後板１３の上辺に折り目ｇを介して連設される矩形の上側の蓋板１９とを備えている。
【００１５】
また、前板１１の上部１１Ａは、各蓋板１７，１９の各折り目ｆ，ｇより上方に延びていて表示板となっている。また、前板１１から一対の側板１２，１２′の中央部にかけて略台形状の窓孔２０を穿設してある。この窓孔２０は、図３に示すように、組み立てられた前板１１と一対の側板１２，１２′の内側に嵌め込まれる断面コ字状の透明シート２１で覆われるようになっている。
【００１６】
さらに、一対の側板１２，１２′の各下辺に各折り目ｄを介して連設された各底片１４Ｂ，１４Ｂ′には，斜めの各折り目ｅを介して糊代としての接合片１４ｂ，１４ｂ′をそれぞれ連設してある。この一対の接合片１４ｂ，１４ｂ′を前板１１と後板１３の各下辺に各折り目ｄを介して連設された各底片１４Ａ，１４Ｃのほぼ中央に接着剤等により接着することで、図４（ｃ）に示すように、ブランク１０が組み立てられた際に底板１４となる。この際に、一方の底片１４Ｂと接合片１４ｂとの間で形成されるＶ字状の係止部Ｂ及び他方の底片１４Ｂ′と接合片１４ｂ′との間で形成されるＶ字状の係止部Ｂ′との係止状態で、図４（ｃ）に示すように、底板１４がフラットな状態を維持できるようになっていると共に、ブランク１０が組み立てられた後で、両方の折り目ｅに沿って両方の底片１４Ｂ，１４Ｂ′が離れる方向に折り曲げることにより、透明シート２１を装着した状態でも前板１１と右側の側板１２を左側の側板１２′と後板１３に重ねるようにして折り畳むことができるようになっている。
【００１７】
また、左側の側板１２′の左辺には、折り目ｃを介して糊代としての接合片１５を連設してある。この接合片１５は、ブランク１０を組み立てる際に、後板１３の右辺寄りの内面に接着剤等により接着されるようになっている。さらに、右側の側板１２の上辺には、折り目ｈを介して折曲片１６を連設してある。この折曲片１６は、図２（ｃ），（ｄ）に示すように、下側の蓋板１７と上側の蓋板１９を閉じる際に、下側の蓋板１７と上側の蓋板１９の間に折り曲げられるようになっている。
【００１８】
さらに、下側の蓋板１７の略中央部には、下側の蓋板１７に入れた２本の切り込み線Ｌ，Ｌ′で区画された舌片状の吊下げ片１８を折り目ｊを介して起立・傾倒自在に連設してある。この吊下げ片１８は、起立した際に前板１１の上部の表示板１１Ａと平行になり、また、吊下げ片１８の起立位置は、図４（ｂ）に示すように、箱本体２の重心（下側の蓋板１７の中央）Ｏの位置ではなく、箱本体２内に収納される頭皮洗浄用ブラシ（内容物）３０の重心Ｏ′の位置にくるように変位した位置に設定されている。さらに、吊下げ片１８の先端部１８ａには円形の吊下げ孔１８ｂを穿設してある。この吊下げ孔１８ｂの穿設位置は、図５（ａ），（ｂ）に示すように、組み立てられた前板１１の上部の表示板１１Ａの上縁１１ａの位置よりも高い位置に設定されている。
【００１９】
さらに、上側の蓋板１９の略中央部には、吊下げ片１８が挿通する凸字状の挿通孔２２を穿設してあると共に、該上側の蓋板１９の後板１３側には、吊下げ片１８を傾倒した際に該吊下げ片１８の先端部１８ａが差し込まれる係止孔２３を切込み形成してある。図７（ｃ）に示すように、この係止孔２３に吊下げ片１８の先端部１８ａを差し込んで係止した際に、吊下げ片１８の吊下げ孔１８ｂが係止孔２３より外に露出するように該係止孔２３をＵ字状（弧状）に形成してある。また、上側の蓋板１９の上辺には、折り目ｋを介して差込片１９Ａを連設してある。この上側の蓋板１９と差込片１９Ａの折り目ｋの両端には、ロック用の一対の切り込み１９ａ，１９ａ′を形成してある。この差込片１９Ａが前板１１の上部の内面側に差し込まれると、一対の切り込み１９ａ，１９ａ′に前板１１の上部の両端に位置する折曲片１６の係止部１６ａと下側の蓋板１７の係止部１７ａとが係止されるようになっている。
【００２０】
そして、上記構成のブランク１０を組み立てて包装箱１を作るには、ブランク１０の各折り目ａ，ａ′，ｂ，ｃ，ｄで前板１１と各側板１２，１２′と後板１３及び底板１４をそれぞれ内側にほぼ垂直に折り曲げて四角筒状の箱本体２を形成し、次に、底板１４の各底片１４Ｂ，１４Ｂ′の接合片１４ｂ，１４ｂ′を各底片１４Ａ，１４Ｃのほぼ中央に接着する。この接着により、底片１４Ｂと接合片１４ｂとの間で形成されるＶ字状の係止部Ｂと底片１４Ｂ′と接合片１４ｂ′との間で形成されるＶ字状の係止部Ｂ′とが係止されて底板１４となる。次に、底板１４をフラットにして、左側の側板１２′の左辺に連設した接合片１５を後板１３の右辺寄りの内面に接着する。これにより、図２（ａ）に示すように、下側の蓋板１７と上側の蓋板１９がそれぞれ開いた箱本体２が組み立てられ、この箱本体２の前板１１と一対の側板１２，１２′の内側に断面コ字状の透明シート２１を嵌め込んで、窓孔２０を覆うことにより、下側の蓋板１７と上側の蓋板１９がそれぞれ開いた包装箱１が完成する。
【００２１】
次に、各蓋板１７，１９が開いた包装箱１の箱本体２内に頭皮洗浄用ブラシ３０を収納して、上側の蓋板１９に、吊下げ孔１８ｂを有した吊下げ片１８を起立させる過程を図２を用いて説明する。
【００２２】
図２（ａ），（ｂ）に示すように、下側の蓋板１７と上側の蓋板１９がそれぞれ開いた状態から、下側の蓋板１７を折り目ｆに沿って内側にほぼ直角に折り曲げる。次に、図２（ｃ）に示すように、右側の側板１２の上辺に連設した折曲片１６を折り目ｈに沿って内側にほぼ直角に折り曲げて、下側の蓋板１７の上に重ねる。この状態より、図２（ｄ）に示すように、下側の蓋板１７に設けた吊下げ片１８を折り目ｊに沿ってほぼ垂直に折り曲げると共に、上側の蓋板１９を折り目ｇに沿って内側に折り曲げていく。この過程で、上側の蓋板１９の挿通孔２２に下側の蓋板１７の吊下げ片１８の先端部１８ａを通しながら上側の蓋体１９を折り曲げていき、上側の蓋板１９の上辺に連設した差込片１９Ａを前板１１の内面と折曲片１６と下側の蓋板１７との間に差し込んで下側の蓋板１９を閉じる。
【００２３】
図２（ｅ）及び図３（ｂ）に示すように、上側の蓋板１９が完全に閉じられると、差込片１９Ａのロック用の一対の切り込み１９ａ，１９ａ′に折曲片１６の係止部１６ａと下側の蓋板１７の係止部１７ａとが係止されるため、上側の蓋板１９が簡単に開くことはない。また、下側の蓋板１７は折曲片１６と上側の蓋板１９で二重に押さえられているため、両方の蓋板１７，１９が閉じられている間、吊下げ片１８の起立状態は確実に維持される。
【００２４】
この吊下げ片１８を起立させた状態より、図６に示すように、陳列棚のハンガー５０に吊下げ片１８の吊下げ孔１８ｂを挿入すれば、包装箱１をハンガー５０に簡単に吊り下げて陳列することができる。この際、吊下げ片１８の起立位置が包装箱１の重心Ｏの位置ではなく、包装箱１の箱本体２内に収納された頭皮洗浄用ブラシ３０の重心Ｏ′の位置になっているため、包装箱１がバランスよく吊り下げられて前後、左右に傾くことがなく、包装箱１を常に水平に展示することができる。これにより、透明シート２１で覆われている窓孔２０より包装箱１の内容物が頭皮洗浄用ブラシ３０であることが容易に理解できる。この窓孔２０は、前板１１と左右一対の側板１２，１２′に跨って大きく形成したので、正面側と左右両側の３方向より、包装箱１の箱本体２内に保持紙３１を介して収納された頭皮洗浄用ブラシ３０の様子が良く判り、内容物を容易に理解することができる。尚、頭皮洗浄用ブラシ３０は保持紙３１で保持されているため、箱本体２内でバラ付くことはない。
【００２５】
また、図５（ａ），（ｂ）及び図６に示すように、起立した吊下げ片１８の先端部１８ａに穿設された円形の吊下げ孔１８ｂの位置が前板１１の上部の表示板１１Ａの上縁１１ａの位置よりも高い位置にあるので、包装箱１をハンガー５０に吊り下げて陳列した際に、ハンガー５０に表示板１１Ａの上縁１１ａが接触することなく吊り下げることができる。さらに、包装箱１の正面の上側に位置する前板１１の上部を延設して表示板１１Ａとしたので、この表示板１１Ａを、例えば、商品の説明書き等の商品の特長を謳う看板として利用することができ、この表示板１１Ａを見れば、包装箱１の箱本体２内にどのような商品が入っているかを容易に理解することができる。
【００２６】
次に、包装箱１の上側の蓋板１９より垂直に起立した吊下げ片１８を倒す過程を図７を用いて説明する。
【００２７】
図７（ａ）に示す吊下げ片１８の起立状態より、吊下げ片１８を後板１３側に倒す。そして、図７（ｂ）に示すように、吊下げ片１８の先端部１８ａを折り目ｍに沿って後側に折り曲げて、上側の蓋板１９のＵ字状の係止孔２３に挿入する。次に、図７（ｃ）に示すように、吊下げ片１８の先端部１８ａを平らにしてＵ字状の係止孔２３に係止させる。この際に、係止孔２３の形状をＵ字状に湾曲させて形成したので、吊下げ片１８の先端部１８ａに穿設された円形の吊下げ孔１８ｂを確認することができ、この部分が吊下げ片１８であると容易に判断することができる。また、吊下げ片１８を用いない並べ置き陳列時の展示作業や輸送時に、係止孔２３から吊下げ片１８が簡単に外れることがなく、その取り外しも容易に行うことができる。
【００２８】
図８は、吊下げ片１８を倒した状態で包装箱１を二段に積み重ねた陳列状態を示す。この際、下段の包装箱１の前板１１の上部の上側の蓋板１９より上方に延設した表示板１１Ａに上段の包装箱１の前板１１の窓孔２０側を合わせて積み上げることにより、下段の包装箱１の倒した吊下げ片１８と上段の包装箱１の底板１４の摩擦と、下段の包装箱１の表示板１１Ａとにより、ストッパーなしに積み上げ時の位置ずれを防止することができる。
【００２９】
このように、包装箱１の箱本体２内に収納される頭皮洗浄用ブラシ３０の重心Ｏ′の位置のほぼ真上の下側の蓋板１７に吊下げ片１８を起立させたり、倒した状態で使用することができるようにしたため、水平の吊り下げ陳列と、多段の積み重ね陳列との切り替えを非常に容易に行うことができる。
【００３０】
図９は、包装箱１の箱本体２内に別の内容物としてコーヒーカップ４０を入れた状態を示す平面図であり、図１０は同状態を示す右側面図である。
【００３１】
包装箱１の箱本体２内に頭皮洗浄用ブラシ３０を入れた場合には、図４（ｂ）に示すように、頭皮洗浄用ブラシ３０の重心Ｏ′の位置は箱本体２の重心Ｏの前後の中心線Ｙの位置よりも前板１１寄りに位置しているが、図９に示すように、コーヒーカップ４０の場合には、その重心Ｏ′の位置は、箱本体２の前後の中心線Ｙの位置よりも左側の側板１２′寄りで、かつ、箱本体２の左右の中心線Ｘの位置よりも後板１３寄りに位置している点が、頭皮洗浄用ブラシ３０を入れた場合と相違する。よって、箱本体２内にコーヒーカップ４０を収納して展示する際には、箱本体２内に収納されるコーヒーカップ４０の重心Ｏ′の位置のほぼ真上の下側の蓋板１７に吊下げ片１８を設けた包装箱１を使用する。
【００３２】
このように、箱本体２内に収納される内容物３０，４０の各重心Ｏ′の位置に合わせて吊下げ片１８の起立位置を変位させるように設定して、吊下げ片１８を起立・傾倒自在に設けたことにより、水平の吊り下げ陳列と、多段の積み重ね陳列との切り替えが非常に容易に行える包装箱１を提供することができる。
【００３３】
また、吊下げ片１８を、蓋板１７における２本の切り込み線Ｌ，Ｌ′で区画して設ける構造としたので、箱本体２内に収納される内容物３０，４０の各重心Ｏ′の位置に合わせた吊下げ片１８の起立位置の設計が容易である。
【００３４】
尚、前記実施形態によれば、板紙製のブランクを用いたが、厚紙、合成紙、合成樹脂シート製等のブランクを用いても良い。また、このブランクの展開図は一例であり、吊下げ片の位置が前後あるいは幅方向にずれることもあり、さらに、吊下げ片を設けた下側の蓋板を右側の側板の上辺に連設し、折曲片を左側の側板の上辺に連設して吊下げ片と折曲片の位置を替えても良い。また、吊下げ片に円形の吊下げ孔を穿設したが、凸状や三角形状等でも良い。さらに、吊下げ片を挿入して係止する係止孔はＵ字状に限らず、Ｖ字状やコ字状等、あるいは直線状であっても良く、また、吊下げ孔と同様に幅のある孔でも良い。また、底部も一般的なフラップ構造などとすることができる。
【産業上の利用可能性】
【００３５】
本発明は、内容物を収納して、ハンガーで吊り下げて展示する包装箱において、水平に吊り下げて展示することができ、かつ、多段に積み重ねても展示することができる。
【符号の説明】
【００３６】
１  包装箱
２  箱本体
１１  前板
１１Ａ  上部（表示板）
１１ａ  上縁
１２，１２′  一対の側板
１３  後板
１４  底板
１７  上側の蓋板
１８  吊下げ片
１８ａ  先端部
１８ｂ  吊下げ孔
１９  下側の蓋板
２３  Ｕ字状（弧状）の係止孔
２０  窓孔
２１  透明シート
３０  頭皮洗浄用ブラシ（内容物）
４０  コーヒーカップ（内容物）
Ｏ′  箱本体内に収納される内容物の重心の位置
【図１】
2012106768.tif 000003
【図２】
2012106768.tif 000004
【図３】
2012106768.tif 000005
【図４】
2012106768.tif 000006
【図５】
2012106768.tif 000007
【図６】
2012106768.tif 000008
【図７】
2012106768.tif 000009
【図８】
2012106768.tif 000010
【図９】
2012106768.tif 000011
【図１０】
2012106768.tif 000012